(57)【要約】【課題】開かれた前扉の重量により筐体が前扉側に傾いて倒れるのを防止する。【解決手段】スロットマシン１の前扉３の底面部３００の中央より若干回転軸Ｓ１寄りの位置には、スタンド部材３０１が取り付けられている。スタンド部材３０１は、前記前扉３の底面部３００に対して着脱可能であるとともに、前記前扉３が開放された状態で、その先端側が前記前扉３の底辺から突出して前記前扉３の底面部３００に設けられ、その先端側が前記筐体２を設置した設置面３９１に当接することで前記筐体２が前記前扉３側に所定角度以上傾くのを防止する。これにより、前扉３の重量により筐体２が前記前扉３側に傾いて倒れるのを防止できる。【選択図】図４
2007190175.tif 000002
【特許請求の範囲】
【請求項１】
前方に開口を有する筐体と、前記筐体に対して回動可能に取り付けられることで前記開口を閉塞させる前扉とを備える遊技機であって、
前記前扉の底面部に対して着脱可能であるとともに、前記前扉が開放された状態で、その先端側が前記前扉の底辺から突出して前記前扉の底面部に設けられ、その先端側が前記筐体を設置した設置面に当接することで前記筐体が前記前扉側に所定角度以上傾くのを防止するスタンド部材を備えることを特徴とする遊技機。
【請求項２】
前記前扉または前記筐体に設けられ、前記スタンド部材を着脱可能な状態、かつ前記スタンド部材の先端側が前記前扉の底辺から退避した状態で保持するスタンド部材保持手段を備えることを特徴とする請求項１に記載の遊技機。
【請求項３】
前記前扉の底面部は板状に形成され、前記スタンド部材は、一端側が前記先端側となり、他端側に前記底面部を上下から挟み込むことで前記底面部と嵌合する嵌合部を有し、当該嵌合部が前記底面部と嵌合した状態でその先端側が前記前扉の底辺から突出して前記前扉に設けられることを特徴とする請求項１または２に記載の遊技機。
【請求項４】
前記前扉の底面部は板状に形成され、その板面を貫通する長孔を有し、
前記スタンド部材は、前記長孔に挿入され挿入軸を回転軸として回転操作されることで前記長孔の縁部と嵌合する嵌合部を有することを特徴とする請求項１または２に記載の遊技機。
【請求項５】
前記スタンド部材は、断面形状が横長形状となる大径部を有し、前記大径部の間に前記嵌合部となる小径部を有し、前記大径部の断面形状における長径方向の長さは、前記長穴の短径方向の内径より長く、かつ前記長穴の長径方向の内径以下となり、前記小径部の断面形状における最大の外径は、前記長穴の短径方向の内径以下になっていることを特徴とする請求項４に記載の遊技機。
【請求項６】
前記小径部は、前記スタンド部材の長手方向に複数並べて形成されていることを特徴とする請求項５に記載の遊技機。
【発明の詳細な説明】
【技術分野】
【０００１】
本発明は、前方に開口を有する筐体と、前記筐体に対して回動可能に取り付けられることで前記開口を閉塞させる前扉とを備える遊技機に関するものである。
【背景技術】
【０００２】
従来、スロットマシンは、例えば特許文献１に記載されているように、略矩形状の箱体である筐体と、当該筐体に開閉可能に取り付けられた前扉（フロントドア）とを備えている。さらに、スロットマシンの前扉には、映像表示手段やランプ等の表示手段を多数設けて、遊技の情報の報知や各種演出を行うものがある。
【０００３】
前記遊技の情報の報知としては、例えばスロットマシンにおいて液晶表示パネルの映像表示やランプの点灯によりスタートレバーやストップボタンの操作手順の指示を行う等の例がある。前記演出としては、例えば液晶表示パネルに遊技に関係する情報や演出をアニメーションの映像で表示させる、入賞の際に演出用照明ランプを点滅させる等の例がある。
【０００４】
【特許文献１】特開２００４−２３００２４号公報
【発明の開示】
【発明が解決しようとする課題】
【０００５】
ところで、近年、スロットマシンでは、映像表示手段に表示する映像の高画質化や大画面化が進んでおり、映像表示手段の重量が増大する傾向にある。
【０００６】
しかしながら、上述した従来のスロットマシンによれば、前扉に多数の表示手段や重い映像表示手段を設けた場合、製造工程において、前記前扉が開放された状態で前扉の重量により前記筐体が前記前扉側に傾いて倒れる場合があり問題が多かった。
【０００７】
本発明は、こうした従来の問題に鑑みてなされたものであり、開かれた前扉の重量により筐体が前扉側に傾いて倒れるのを防止する等が可能な遊技機を提供することを目的としている。
【課題を解決するための手段】
【０００８】
上述した課題を解決するため、請求項１に記載の発明は、前方に開口を有する筐体と、前記筐体に対して回動可能に取り付けられることで前記開口を閉塞させる前扉とを備える遊技機であって、前記前扉の底面部に対して着脱可能であるとともに、前記前扉が開放された状態で、その先端側が前記前扉の底辺から突出して前記前扉の底面部に設けられ、その先端側が前記筐体を設置した設置面に当接することで前記筐体が前記前扉側に所定角度以上傾くのを防止するスタンド部材を備えることを特徴とする。
【０００９】
請求項２に記載の発明は、請求項１に記載の遊技機であって、前記前扉または前記筐体に設けられ、前記スタンド部材を着脱可能な状態、かつ前記スタンド部材の先端側が前記前扉の底辺から退避した状態で保持するスタンド部材保持手段を備えることを特徴とする。
【００１０】
請求項３に記載の発明は、請求項１または２に記載の遊技機であって、前記前扉の底面部は板状に形成され、前記スタンド部材は、一端側が前記先端側となり、他端側に前記底面部を上下から挟み込むことで前記底面部と嵌合する嵌合部を有し、当該嵌合部が前記底面部と嵌合した状態でその先端側が前記前扉の底辺から突出して前記前扉に設けられることを特徴とする。
【００１１】
請求項４に記載の発明は、請求項１または２に記載の遊技機であって、前記前扉の底面部は板状に形成され、その板面を貫通する長孔を有し、前記スタンド部材は、前記長孔に挿入され挿入軸を回転軸として回転操作されることで前記長孔の縁部と嵌合する嵌合部を有することを特徴とする。
【００１２】
請求項５に記載の発明は、請求項４に記載の遊技機であって、前記スタンド部材は、断面形状が横長形状となる大径部を有し、前記大径部の間に前記嵌合部となる小径部を有し、前記大径部の断面形状における長径方向の長さは、前記長穴の短径方向の内径より長く、かつ前記長穴の長径方向の内径以下となり、前記小径部の断面形状における最大の外径は、前記長穴の短径方向の内径以下になっていることを特徴とする。
【００１３】
請求項６に記載の発明は、請求項５に記載の遊技機であって、前記小径部は、前記スタンド部材の長手方向に複数並べて形成されていることを特徴とする。
【００１４】
請求項１に記載の遊技機によれば、前扉が開放された状態で、スタンド部材の先端側が筐体を設置した設置面に当接することで前記筐体が前記前扉側に所定角度以上傾くのを防止するので、前扉の重量により筐体が前記前扉側に傾いて倒れるのを防止できる。
【００１５】
請求項２に記載の遊技機によれば、前記前扉を閉塞する場合に、スタンド部材はスタンド部材保持手段により前記前扉の底辺から退避した状態で保持されるので、スタンド部材の紛失を防止することができる。
【００１６】
請求項３に記載の遊技機によれば、前扉の底面部は板状に形成され、スタンド部材はその嵌合部が前記底面部を上下から挟み込むことで前記底面部と嵌合するので、簡単な作業でスタンド部材を前扉の底面部から着脱することができる。
【００１７】
請求項４に記載の遊技機によれば、前記スタンド部材は、前扉の底面部に形成された長孔に挿入され挿入軸を回転軸として回転操作されることで前記長孔の縁部と嵌合するので、簡単な作業でスタンド部材を前扉の底面部から着脱することができる。
【００１８】
請求項５に記載の遊技機によれば、前記スタンド部材は、その一端側と他端側の大径部と、一端側と他端側の前記大径部の間に挟まれた小径部によって簡単な構造で実現できる。
【００１９】
請求項６に記載の遊技機によれば、前扉の底面部の長孔と嵌合する小径部をスタンド部材の長手方向に複数並べて形成しており、長孔と嵌合する小径部を複数の中から選択することで、前記スタンド部材の前記前扉の底面部から突出する長さの調整を行え、設置面が有る程度傾いていた場合にも、前扉の重量により筐体が前記前扉側に傾いて倒れるのを防止できる。
【発明の効果】
【００２０】
本発明の遊技機によれば、開かれた前扉の重量により筐体が前扉側に傾いて倒れるのを防止でき、製造工程において作業員の手で前扉を支える等の手間を省き、作業性を向上する等を行える。
【発明を実施するための最良の形態】
【００２１】
以下、本発明に係る遊技機の好適な一実施形態をスロットマシンを例に図面を参照して説明する。なお、図１はスロットマシン１の外観構造を表した斜視図である。図２は前扉３を開放した状態におけるスロットマシン１の内部構造を表した図である。図３はスロットマシン１の制御システムを表したブロック図である。
【００２２】
図１において、スロットマシン１は、前方に開口を有する略矩形状の箱体である筐体２と、当該筐体２に対して蝶番機構により回動可能に取り付けられることで前記開口を開閉可能な状態で閉塞させる前扉３とを備えている。
【００２３】
前扉３の前面側は、上部パネル部４と下部パネル部５に略区分けされ、これらは視覚効果を高めてデザインされたいわゆる化粧板として、硬質プラスチックにより一体的に形成されている。更に、下部パネル部５の下方には、入賞時に払い出されるメダル（遊技媒体）を貯留する受皿部６ａが一体的に形成された受皿ユニット６が設けられている。
【００２４】
また、上部パネル部４と下部パネル部５との間には、遊技者側に突出し、ゲーム操作を行うためのスイッチ類が配置されている操作卓７が一体的に形成されている。なお、上部パネル部４、操作卓７、下部パネル部５、及び受皿ユニット６は、遊技者側に面し、これらによって「前面パネル部」が構成される。
【００２５】
上部パネル部４の中央には、硬質プラスチック板等で形成されたパネル面４１が設けられている。パネル面４１のほぼ中央には略長方形の透明な表示窓４２が形成され、表示窓４２を通して筐体２内に設けられているリールユニット１００の３個のリール１０１ａ、１０１ｂ、１０１ｃが目視される。
【００２６】
ここで、筐体２内に設置されているリールユニット１００は、円筒形状のリール１０１ａ、１０１ｂ、１０１ｃがそれぞれ回転軸方向に並べられ、各リール１０１ａ、１０１ｂ、１０１ｃの外周面にはその周方向に沿って複数種類の図柄が描かれている。遊技者は、表示窓４２を通して３列のリールに描かれたそれぞれ上下方向３個の図柄を目視できるようになっている。
【００２７】
また、パネル面４１には、裏面側に設けられている図示しないランプを点灯させることで例えば入賞役への内部当選など遊技状態に関する情報を演出表示する遊技状態表示部４３と、これと同様にランプを点灯させることで遊技操作のアシストに関する情報を表示する操作アシスト表示部４４と、スロットマシン１にクレジット（貯留）されているメダル数や、入賞によって獲得したメダル数、又は入賞役への当選回数等の情報を数値表示する数値情報表示部４５が、それぞれ表示窓４２の周辺に設けられている。
【００２８】
上部パネル部４の上部には、高輝度発光ダイオード等のランプ類を内蔵する中央及び左右の演出用照明部４６、４７ａ、４７ｂと、ゲームに係る効果音を発生させるスピーカを内蔵する演出用放音部４８ａ、４８ｂが配置されている。
【００２９】
スロットマシン１は、ゲームの進行に応じて上述した複数の演出用照明部４６、４７ａ、４７ｂ等が点灯又は点滅することで、ゲームにおける視覚的な演出効果を高めるように形成されている。
【００３０】
また、演出用放音部４８ａ、４８ｂの間には、透明な硬質プラスチック板等が嵌め込まれて形成された表示窓４９ａに面して遊技機の演出装置として液晶表示装置４９が配置されている。なお、液晶表示装置４９は、ゲームの演出に係る映像やゲーム（遊技）に関する情報を主に表示する。
【００３１】
操作卓７の上面右側にはメダル投入部７１が設けられている。メダル投入部７１はメダルを投入するためのメダル投入口７２を有する。また、当該上面の左側には、押しボタンスイッチである２個のベットボタン７３、７４が設けられている。
【００３２】
ベットボタン７３、７４はスロットマシンの１ゲームに賭けるメダルの枚数を提示するためのボタンスイッチである。ゲームを開始する際に、ベットボタン７３が押圧操作されることで、貯留されているメダルから１枚のメダルがゲームに対して賭けられる。同様に、ベットボタン７４が押圧操作されることで３枚の当該ゲームにメダルが賭けられる。なお、ベットボタン７４は、最大枚数のメダルを賭けることから、特に「マックスベットボタン」と呼ばれている。
【００３３】
操作卓７の前面左側には、リール１０１ａ、１０１ｂ、１０１ｃの回転開始を指示するためのスタートレバー７５が設けられている。スタートレバー７５は、先端に球形の操作ノブを有する揺動可能な操作旱を備え、操作旱が傾倒操作されるとオン、操作旱から手が離されるとスプリングの付勢力によって自動的に元の位置に戻ってオフ状態となるスイッチユニットで形成されている。
【００３４】
また、操作卓７の中央には、各リール１０１ａ、１０１ｂ、１０１ｃの回転停止をそれぞれ指示するためのストップボタン７６ａ、７６ｂ、７６ｃが各リールの配列に対応して並設されている。
【００３５】
さらに、操作卓７の前面の左隅には、ゲームに賭けられたメダルをキャンセルして払い出させることを指示するとともに、後述するメダルクレジット手段２０３（図３参照）が内部貯留したメダルを精算して払い出させることを指示するための精算ボタン７７が設けられている。
【００３６】
操作卓７の前面右側には、前扉３を開錠するための鍵が挿入される鍵穴７８が設けられている。スロットマシン１の管理者等が鍵穴７８に所定の鍵を挿入して開錠操作すると、後述の蝶番機構９、１０（図２参照）によって筐体２に取り付けられている前扉３を前方へ開くことができ、また前扉３を筐体２側に閉じると、自動的にこれらを施錠するようになっている。
【００３７】
下部パネル部５には、スロットマシン１のモデルタイプを遊技者へ認識させる等のため、登場キャラクターの絵などを表示する表示パネル５１が設けられている。表示パネル５１の左右両脇には、左右の演出用照明部５２ａ、５２ｂが設けられている。
【００３８】
下部パネル部５の下側に配置された受皿ユニット６には、入賞時にメダルを排出するメダル払出口６１と、払い出されたメダルを貯留する受皿部６ａと、演出効果音を発生させるスピーカを内蔵する左右の演出用放音部６２ａ、６２ｂがそれぞれ配置されている。
【００３９】
次に、図２を参照して、筐体２の内部構造と前扉３の裏面構造を説明する。
図２において、筐体２の前方には開口８を有している。この開口８内の上部には、硬質プラスチックの基板ケース２１０に収納された主制御基板２０が取り付けられている。主制御基板２０は、スロットマシン１の全体動作を集中制御するＣＰＵ（マイコン）を備えている。
【００４０】
筐体２の左側表面の上端と前扉３の左側裏面の上端は、上側の蝶番機構９により回動可能な状態で取り付けられている。筐体２の左側表面の下端近傍と前扉３の左側裏面の下端は、下側の蝶番機構１０により回動可能な状態で取り付けられている。このような構造により、前扉３は、筐体２に対して蝶番機構９、１０により回動可能に取り付けられることで当該筐体２の開口８を開閉可能な状態で閉塞させるようになっている。また、前扉３の下端は、前扉３を開く場合に下方の設置面と接触しないように筐体２の下端より若干上側に位置している。
【００４１】
前扉３の裏面の底辺８１の近傍には、本発明の要部となるスタンド部材３０１が設けられている。
【００４２】
筐体２内の中央には、リール１０１ａ、１０１ｂ、１０１ｃを備えるリールユニット１００が設けられている。リールユニット１００は、前扉３が筐体２側に閉じられると前扉３の表示窓４２にリール１０１ａ、１０１ｂ、１０１ｃが対向するように、所定フレームに位置決めされて取り付けられている。なお、各リール１０１ａ、１０１ｂ、１０１ｃは、それぞれに内蔵されたステッピングモータによって回転駆動される。
【００４３】
また、リールユニット１００の上部には、各リールを回転駆動する上記ステッピングモータへ４相の駆動パルス信号を送出する回胴装置基板が取り付けられており、主制御基板２０が回胴装置基板に回胴駆動（励磁）パルスデータを送出することで、各リールの回転と制動及び停止の制御を行っている。
【００４４】
リールユニット１００の下方には、ホッパ装置２１と、ホッパ装置２１から溢れたメダルを収容するための補助貯留部２２と、主電源装置２３が設けられている。主電源装置２３の内部の右側には、いわゆる配電盤に相当する電源装置基板２４が設けられている。更に、筐体２の上部右側の内壁に、遊技場に設置されている「ホールコンピュータ」と呼ばれる管理用コンピュータと接続可能な外部集中端子基板２５が取り付けられている。ホッパ装置２１と主電源装置２３の間の隙間には、本実施形態の要部となるスタンド部材保持手段３５１が設けられている。
【００４５】
次に、前扉３の裏面側上部には、発光駆動部３０、３１ａ、３１ｂが配置されている。発光駆動部３０、３１ａ、３１ｂは、それぞれ演出用照明部４６、４７ａ、４７ｂの光源である高輝度の発光ダイオードが複数配列され、この発光ダイオードを発光駆動する駆動回路が実装されている。
【００４６】
また、前扉３の裏面側上部には、上述の演出用放音部４８ａ、４８ｂに対向してスピーカ３２ａ、３２ｂが取り付けられている。また、スピーカ３２ａ、３２ｂの間には、液晶表示装置４９が取り付けられている。更に、液晶表示装置４９の裏面側には、電気回路基板で形成され硬質プラスチックの基板ケース２２０に収納されたサブ制御基板４０が取り付けられている。
【００４７】
主制御基板２０及びサブ制御基板４０は、スロットマシン１の作動を制御する制御基板である。
【００４８】
サブ制御基板４０の下方には、リール１０１ａ、１０１ｂ、１０１ｃを目視させるための透明な表示窓４２が形成されたパネル板５０が配置され、表示窓４２の下方には、前面側のスタートレバー７５（図１参照）及びストップボタン７６ａ、７６ｂ、７６ｃ（図１参照）等の操作スイッチ類の出力信号を主制御基板２０へ転送する中継基板として機能する中央表示基板３３が設けられている。
【００４９】
中央表示基板３３の下方には、メダル選別装置３４が取り付けられている。メダル選別装置３４は、メダル投入部７１に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００５０】
メダル選別装置３４の装置本体の下方には、メダル選別装置３４によって振り分けられた正規のメダルを筐体２内に設けられているホッパ装置２１へ案内するガイド部材３５と、メダル選別装置３４により排除されたメダル（又は異物）をメダル排出口６１へ案内するガイド部材３６が設けられている。また、前扉３の裏面側下部には、ホッパ装置２１から排出されたメダルをメダル排出口６１へ案内するガイド部材３７が設けられている。更に、メダル排出口６１に隣接して、上述した演出用放音部６２ａ、６２ｂに対向するスピーカ３８ａ、３８ｂが取り付けられている。
【００５１】
なお、スロットマシン１全体の動作は、筐体２側に設けられている主制御基板２０によって統括制御されており、サブ制御基板４０は、液晶表示装置４９による演出映像の表示制御、及び演出用放音部４８ａ、４８ｂ、６２ａ、６２ｂのスピーカ３２ａ、３２ｂ、３８ａ、３８ｂを使った演出効果音制御など、ゲームの演出に係る制御を主に行っている。
【００５２】
次に、図３のブロック図を参照して、スロットマシン１に設けられている制御システムについて説明する。
図３において、主制御基板２０は、ＣＰＵ２００と、記憶部２０１とを備えている。
【００５３】
記憶部２０１は、ＲＯＭ、ＲＡＭ等の半導体メモリによって構成され、スロットマシンゲーム用のシステムプログラム２０２が予め記憶されている。主制御基板２０は、記憶部２０１に記憶されたシステムプログラム２０２に従ってＣＰＵ２００が演算処理を実行することで、スロットマシン１全体の動作を統括制御している。
【００５４】
また、記憶部２０１にはメダルクレジット手段２０３が設けられている。メダルクレジット手段２０３はスロットマシン１が内部貯留するメダルの数であるクレジットをメモリに記憶する。
【００５５】
主制御基板２０には、ベットボタン７３、７４、スタートレバー７５、ストップボタン７６ａ、７６ｂ、７６ｃ、精算ボタン７７等の操作スイッチ類、メダル選別装置３４のメダルセンサ３４ａ、ホッパ装置２１等のメダル払出装置、及びサブ制御基板４０等がハーネスで接続されている。
【００５６】
主制御基板２０は、前記操作スイッチ類やメダル選別装置３４のメダルセンサ３４ａからの出力信号によりゲームに係る操作を検出する。
【００５７】
主制御基板２０は、動作モードがメダルベット待機状態となっている場合において、メダルセンサ３４ａがメダルを検出した場合、検出したメダルをゲームの賭数に加算する。
【００５８】
また、主制御基板２０は、動作モードがメダルクレジット入力待機状態となっている場合において、メダルセンサ３４ａがメダルを検出した場合、検出したメダルをメダルクレジット手段２０３のクレジットに加算する。ここで、メダルベット待機状態とは、１つのゲームが終了した後、当該ゲームにメダルが賭けられるのを待機している状態のことを示している。メダルクレジット入力待機状態とは、当該ゲームにメダルが賭けられた後、メダルクレジット手段２０３の前記クレジット数が最大値（５０）になるまでの状態のことを示している。
【００５９】
主制御基板２０は、各リール１０１ａ、１０１ｂ、１０１ｃに設けられる基準位置センサ１２０ａ、１２０ｂ、１２０ｃの検出信号を入力し、各リールの基準となる回転位置を把握しながら、回胴装置基板１３０に所定の回胴駆動パルスデータを送出する。回胴装置基板１３０は、主制御基板２０からの回胴駆動パルスデータに従って各ステッピングモータ１１０ａ、１１０ｂ、１１０ｃを回転駆動することで、各リール１０１ａ、１０１ｂ、１０１ｃの回転及び停止の動作制御を行っている。
【００６０】
主制御基板２０は、入賞が確定した場合等において、ホッパ装置２１を制御することで、所定数のメダルを受皿部６ａに払い出す。
【００６１】
また、主制御基板２０は、精算ボタン７７が操作された場合、ゲームに賭けられたメダルをキャンセルしてホッパ装置２１に払い出させるとともに、メダルクレジット手段２０３（図３参照）が内部貯留したメダルを精算してホッパ装置２１に精算前のクレジット数のメダルを払い出させる。
【００６２】
サブ制御基板４０は、主制御基板２０からの制御信号に基づいて液晶表示装置４９（図１参照）、演出用照明部４６、４７ａ、４７ｂ、５２ａ、５２ｂ（図１参照）、演出用放音部４８ａ、４８ｂ、６２ａ、６２ｂ（図１参照）のスピーカ３２ａ、３２ｂ、３８ａ、３８ｂ等の演出装置２３０を制御駆動することで、遊技者の視覚や聴覚に訴える演出をゲームの進行に応じて行っている。
【００６３】
一方、主制御基板２０の記憶部２０１には、入賞抽選テーブル２０４及び内部抽選フラグ２０５が記憶されている。例えばＣＰＵ２００は、スタートレバー７５の操作を検出した時点で図示しない乱数発生装置から乱数値を取得し、入賞抽選テーブル２０４を参照することで、得られた乱数値に割り当てられた入賞役またはハズレを抽選する。そして、ＣＰＵ２００は、乱数値に対応する入賞役が存在すると、それを当該ゲームの入賞役として抽選結果を当選にし、当該入賞役を記憶部２０１の内部抽選フラグ２０５に記憶する。ここでは、かかる入賞役の抽選方法を「内部抽選」と呼んでいる。
【００６４】
次に、スロットマシン１におけるゲーム動作の概要を説明する。
スロットマシン１は、先のゲームにおいて入賞しメダルの配当が完了した時、又は先のゲームにおいてハズレが確定すると待機状態となる。この待機状態においては、当該状態を遊技者に示唆するとともにゲーム操作を促す待機モードの演出が液晶表示装置４９等によって行われる。次に、遊技者がメダル投入部７１にメダルを投入し、もしくは、何れかのベットボタン７３、７４を押圧操作することで、スロットマシン１は、内部に貯留したメダル（クレジット）から当該ゲームに所定枚数のメダルが賭けられゲームを準備する。
【００６５】
ゲーム準備の状態でスタートレバー７５が傾倒操作されゲームが開始されると、主制御基板２０は、３個のリール１０１ａ、１０１ｂ、１０１ｃを一斉に回転させ始めるとともに、上述した内部抽選を実行する。内部抽選の結果は、内部抽選フラグ２０５に記憶される。
【００６６】
次に、遊技者により何れかのストップボタン７６ａ、７６ｂ、７６ｃが押圧操作されることで、リール１０１ａ、１０１ｂ、１０１ｃが停止し、主制御基板２０は、停止した各リールが表示する図柄と上述の内部抽選フラグ２０５に対応する入賞役に係る図柄の組合せとが一致しているかどうか判定する。
【００６７】
これら図柄の組合せが一致し役への入賞が確定すると、スロットマシン１は、主制御基板２０によりメダルクレジット手段２０３の制御を行い、内部貯留しているメダルのクレジット数が所定の数になるまで、当該役の種類に応じて予め決められた配当数のメダルをクレジット数に加算する。さらに、スロットマシン１は、前記配当数と前記クレジット数の加算結果が前記所定の数を超過すると、この超過した数のメダルを受皿部６ａへ払い出す。
【００６８】
次に、図４乃至図８を参照して本実施形態の要部となるスタンド部材３０１及びその周辺部について説明する。
【００６９】
図４はベルトコンベア３９０上におけるスロットマシン１の前扉３を開いた状態の斜視図である。図５は前扉３にスタンド部材３０１を取り付けた状態におけるスタンド部材３０１及びその周辺部を示す斜視図である。図６は筐体２にスタンド部材３０１を取り付けた状態におけるスタンド部材３０１及びその周辺部を示す斜視図である。図７はスロットマシン１のスタンド部材３０１を前扉３の底辺８１から退避させた状態を示す側面図である。図８はスロットマシン１のスタンド部材３０１を筐体２に収納させた状態を示す側面図である。
【００７０】
図４において、スロットマシン１は、筐体２から前扉３を開いた状態で製造ラインのベルトコンベア３９０に設置されている。本実施形態の説明では、ベルトコンベア３９０の上面をスロットマシン１が設置される設置面３９１とする。
【００７１】
筐体２の開口８は設置面３９１に対して角度Ａ（５°程度）分斜め上を向いて形成さけている。これに応じて蝶番機構９、１０を結ぶ線、即ち前扉３の回転軸Ｓ１は、垂直方向から筐体２側に角度Ａ分傾斜しており、前扉３は角度Ａ分斜め上を向いて開くことになる。
【００７２】
前記前扉３の底面部３００は板状に形成されている。前扉３の底面部３００の中央より若干回転軸Ｓ１寄りの位置には、スタンド部材３０１が取り付けられている。
【００７３】
スタンド部材３０１は、前記前扉３の底面部３００に対して着脱可能であるとともに、前記前扉３が開放された状態で、その先端側が前記前扉３の底辺から突出して前記前扉３の底面部３００に設けられ、その先端側が前記筐体２を設置した設置面３９１に当接することで前記筐体２が前記前扉３側に所定角度以上傾くのを防止する。
【００７４】
スタンド部材保持手段３５１は、前記筐体２の底面部３５０の上面に設けられ、前扉３の底面部３００から外されたスタンド部材３０１を着脱可能な状態、かつ前記スタンド部材３０１の先端側が前記前扉３の底辺８１から退避した状態で保持可能になっている。
【００７５】
スタンド部材３０１についてさらに詳細に説明する。
図５において、前記スタンド部材３０１は、本体部３１１と、Ｌ字状部３１２と、滑り止め部材３１３とから構成される。
【００７６】
本体部３１１は、ステンレス鋼等の金属を長辺形の板状に形成し、長手方向の両端を一面側に垂直に折曲して一端側から順に設置面対向部３２１、脚部３２２及び底面部対向部３２３を形成したものである。
【００７７】
底面部対向部３２３及び設置面対向部３２１は底面部３００に対して平行に配置し、脚部３２２は底面部３００に対して垂直に配置する。
【００７８】
Ｌ字状部３１２は、ステンレス鋼等の金属を長辺形の板状に形成し、Ｌ字状に折曲して溶接部３３１と底面部対向部３３２を形成したものである。Ｌ字状部３１２は、底面部対向部３３２を本体部３１１の設置面対向部３２１に対して所定間隔を置いて平行に配置した状態で溶接部３３１が脚部３２２の一面に溶接されることで脚部３２２に接続固定されている。
【００７９】
Ｌ字状部３１２の底面部対向部３３２と本体部３１１の底面部対向部３２３は、前記底面部３００を上下から挟み込むことで前記底面部３００と嵌合する嵌合部３０２を構成している。Ｌ字状部３１２の底面部対向部３３２と本体部３１１の底面部対向部３２３の間の隙間は、底面部３００から取り外した状態で底面部３００の厚みよりわずかに小さく設定されており、嵌合部３０２が適切な静止摩擦力で底面部３００と嵌合するようになっている。
【００８０】
一方、設置面対向部３２１の底面には、ゴムを円盤状に形成した滑り止め部材３１３が取り付けられている。
【００８１】
このような構造により、スタンド部材３０１は、一端側が先端側となり、他端側に前記底面部３００を上下から挟み込むことで前記底面部３００と嵌合する嵌合部３０２を有し、前記前扉３が開放され、当該嵌合部３０２が前記底面部３００と嵌合した状態でその先端側が前記前扉３の底辺８１から突出して前記前扉３に設けられ、その先端側が前記筐体２を設置した設置面３９１に当接することで前記筐体２が前記前扉３側に所定角度以上傾くのを防止する。
【００８２】
次に、スタンド部材保持手段３５１について詳細に説明する。
図６において、スタンド部材保持手段３５１は、ステンレス鋼等の金属を長辺形の板状に形成し、折曲してネジ止め部３５２と挟持部３５３を形成したものである。
【００８３】
ネジ止め部３５２は、ネジ３６１、３６２により筐体２の底面部３５０にネジ止め固定される。挟持部３５３は、立設部３５４、３５５の隙間にスタンド部材３０１の脚部３２２が挿入され、脚部３２２を着脱可能な状態で挟持するようになっている。
【００８４】
また、立設部３５４、３５５の隙間は、スタンド部材３０１の脚部３２２を取り外した状態で脚部３２２の厚みよりわずかに小さく設定されており、適切な静止摩擦力で脚部３２２を保持するようになっている。
【００８５】
スタンド部材保持手段３５１はスタンド部材３０１の長手方向を筐体２の前後方向に向けて取り付ける。
【００８６】
以下、スタンド部材３０１の使用方法を説明する。
スタンド部材３０１は、前扉３が閉塞された状態及び図７に示す前扉３が開放された直後の状態では、図６及び図７に示すように、筐体２内に設けられたスタンド部材保持手段３５１に取り付けられる。この場合、スタンド部材保持手段３５１は、前記スタンド部材３０１の先端側が前記前扉３の底辺８１から退避した状態でスタンド部材３０１を保持することになる。
【００８７】
この後、前扉３が開放された状態で、作業者はスタンド部材保持手段３５１からスタンド部材３０１を取り外し、前扉３の底面部３００の中央より若干回転軸Ｓ１寄りの位置にスタンド部材３０１の嵌合部３０２を嵌合させることで、図８に示すように、底面部３００にスタンド部材３０１を取り付ける。
この場合、スタンド部材３０１は、その先端側が前扉３の底辺８１から突出した状態となり、設置面対向部３２１の滑り止め部材３１３は設置面３９１（図４参照）に当接することになる。
【００８８】
この後、前扉３を閉塞する場合には、スタンド部材３０１を前扉３の底面部３００から取り外し、図７に示す状態でスタンド部材３０１をスタンド部材保持手段３５１に再度取り付け、前扉３を閉塞する。
【００８９】
かかる構成のスロットマシン１によれば、前扉３が開放された状態で、スタンド部材３０１の先端側が筐体２を設置した設置面３９１に当接することで前記筐体２が前記前扉３側に所定角度以上傾くのを防止するので、前扉３の重量により筐体２が前記前扉３側に傾いて倒れるのを防止でき、製造工程において作業員の手で前扉３を支える等の手間を省き、作業性を向上する等を行える。また、スタンド部材３０１はスタンド部材保持手段３５１により前扉３の底辺８１から退避した状態で保持されるので、不使用時におけるスタンド部材３０１の紛失を防止することができる。さらに、前扉３の底面部３００は板状に形成され、スタンド部材３０１はその嵌合部３０２が前記底面部３００を上下から挟み込むことで前記底面部３００と嵌合するので、簡単な作業でスタンド部材３０１を前扉３の底面部３００から着脱することができる。
【００９０】
以下、本発明に係る遊技機の好適な他の実施形態を図面を参照して説明する。図９は他の実施形態の要部となるスタンド部材６０１を前扉４０３に取り付けた状態におけるスタンド部材６０１及びその周辺部を示す斜視図である。図１０はスタンド部材６０１を筐体４０２に取り付けた状態におけるスタンド部材６０１及びその周辺部を示す斜視図である。尚、図９及び図１０に示す部分以外の他の実施形態の構成は図１乃至図８に示した実施形態と同様になっている。図９を用いた説明において、各部材の左側及び右側はそれぞれスロットマシンの前面側から見た場合の左側及び右側を示しており、前扉の背面側から見た図９では、図面に向かって左側が各部材の右側になっている。
【００９１】
図９において、スロットマシンの前扉４０３の底面部５００は板状に形成され、その板面を貫通する小判形の長孔５０１を有している。長孔５０１の位置は、図４に示したスタンド部材６０１の取り付け位置より若干前方の位置になっている。
【００９２】
前記スタンド部材６０１は、断面形状が横長形状となる大径部６０２、６０３、６０４、６０５を先端側から順に有し、前記大径部６０２、６０３、６０４、６０５の間に小径部６１１、６１２、６１３を有している。前記スタンド部材６０１の先端面は設置面対向部６０６になっている。
【００９３】
前記小径部６１１、６１２、６１３は、前記スタンド部材６０１の長手方向に並べて形成されている。小径部６１１、６１２、６１３は、スタンド部材６０１が長孔５０１に挿入され挿入軸Ｓ２を回転軸として回転操作されることで前記長孔５０１の縁部と嵌合する嵌合部になっている。
【００９４】
スタンド部材６０１をさらに詳細に説明すると、スタンド部材６０１の一方の長径側となる側面には、溝６２１ａ、６２２ａ、６２３ａがスタンド部材６０１の一端側から順に形成されている。スタンド部材６０１の他方の長径側となる側面には、溝６２１ｂ、６２２ｂ、６２３ｂがスタンド部材６０１の一端側から順に形成されている。
【００９５】
溝６２１ａ、６２１ｂの間は小径部６１１となり、溝６２２ａ、６２２ｂの間は小径部６１２となり、溝６２３ａ、６２３ｂの間は小径部６１３となっている。
【００９６】
大径部６０２、６０３、６０４、６０５の断面形状は、長孔５０１より若干小型の小判型となっている。小径部６１１、６１２、６１３は、溝６２１ａ、６２２ａ、６２３ａ側及び溝６２１ａ、６２２ａ、６２３ａ側が円柱面形状になっている。
【００９７】
これにより前記大径部６０２、６０３、６０４、６０５の断面形状における長径方向Ｄ１の長さは、前記長孔５０１の短径方向Ｄ４の内径より長く、かつ前記長孔５０１の長径方向Ｄ３の内径以下になっている。前記小径部６１１、６１２、６１３の断面形状における最大の外径は、前記長孔５０１の短径方向Ｄ４の内径以下になっている。
【００９８】
次に、スタンド部材保持手段６５１について詳細に説明する。
【００９９】
図１０において、スタンド部材保持手段６５１は、ステンレス鋼等の金属を長辺形の板状に形成し、折曲してネジ止め部６５２と挟持部６５３を形成したものである。
【０１００】
ネジ止め部６５２は、ネジ６６１、６６２により筐体４０２の底面部６５０にネジ止め固定される。挟持部６５３は、立設部６５４、６５５の隙間にスタンド部材６０１が挿入され、スタンド部材６０１を着脱可能な状態で挟持するようになっている。
【０１０１】
立設部６５４、６５５の隙間は、スタンド部材６０１の短径方向Ｄ２の厚みよりわずかに小さく設定されており、適切な静止摩擦力でスタンド部材６０１を保持するようになっている。
【０１０２】
以下、スタンド部材６０１の使用方法を説明する。
スタンド部材６０１は、前扉４０３が閉塞された状態及び前扉４０３が開放された直後の状態では、図１０に示すように、筐体４０２内に設けられたスタンド部材保持手段６５１に取り付けられる。この場合、結果的にスタンド部材保持手段６５１は、前記スタンド部材６０１の先端側が前記前扉４０３の底辺４８１から退避した状態でスタンド部材６０１を保持することになる。
【０１０３】
この後、前扉４０３が開放された状態で、作業者はスタンド部材保持手段６５１からスタンド部材６０１を取り外し、前扉４０３の底面部５００に形成された長孔５０１にスタンド部材６０１を設置面対向部６０６側から挿入し、スタンド部材６０１の小径部６１１、６１２、６１３のいずれかを長孔５０１の位置に合わせ、挿入軸Ｓ２を回転軸としてスタンド部材６０１を９０°程度回転操作することで位置合わせした小径部を前記長孔５０１の縁部と嵌合させて、例えば図９に示すように、底面部５００にスタンド部材６０１を取り付ける。尚、図９の場合、小径部６１１と長孔５０１を嵌合させているが、小径部６１２、６１３と長孔５０１を嵌合させることも可能である。
【０１０４】
この場合、スタンド部材６０１は、その先端側が前記前扉４０３の底辺４８１から突出した状態となり、設置面対向部６０６は設置面３９１（図４参照）に当接することになる。
【０１０５】
この後、前扉４０３を閉塞する場合には、挿入軸Ｓ２を回転軸としてスタンド部材６０１を９０°程度回転操作し、大径部６０２の長径方向Ｄ１を長孔５０１の長径方向Ｄ３に合わせ、長孔５０１からスタンド部材６０１を引き抜くことでスタンド部材６０１を前扉４０３の底面部６００から取り外し、図１０に示すようにスタンド部材６０１をスタンド部材保持手段６５１に再度取り付け、前扉４０３を閉塞する。
【０１０６】
かかる構成のスロットマシン１によれば、前扉４０３が開放された状態で、スタンド部材６０１の先端側の設置面対向部６０６が筐体４０２を設置した設置面に当接することで前記筐体４０２が前記前扉４０３側に所定角度以上傾くのを防止するので、前扉４０３の重量により筐体４０２が前記前扉４０３側に傾いて倒れるのを防止でき、図１乃至図８に示した実施形態と同様に、作業性を向上する等を行える。また、スタンド部材６０１はスタンド部材保持手段６５１により前記前扉４０３の底辺から退避した状態で保持されるので、図１乃至図８に示した実施形態と同様に、スタンド部材６０１の紛失を防止することができる。
【０１０７】
さらに、前記スタンド部材６０１は、前扉４０３の底面部５００に形成された長孔５０１に挿入され挿入軸Ｓ２を回転軸として回転操作されることで前記長孔５０１の縁部と嵌合するので、簡単な作業でスタンド部材６０１を前扉４０３の底面部５００から着脱することができる。
【０１０８】
さらに、前記スタンド部材６０１は、その一端側と他端側の大径部６０２、６０３、６０４、６０５と、一端側と他端側の前記大径部６０２、６０３、６０４、６０５の間に挟まれた小径部６１１、６１２、６１３によって簡単な構造で実現できる。
【０１０９】
さらに、前記スタンド部材６０１は、前扉４０３の底面部５００の長孔５０１と嵌合する小径部６１１、６１２、６１３を長手方向に複数並べて形成しており、長孔５０１と嵌合する小径部６１１、６１２、６１３を複数の中から選択することで、前記スタンド部材６０１の前記前扉４０３の底面部５００から突出する長さの調整を行え、設置面が有る程度傾いていた場合にも、前扉４０３の重量により筐体４０２が前扉４０３側に傾いて倒れるのを防止できる。
【０１１０】
尚、図９に示した実施形態では前記スタンド部材６０１に前記小径部６１１、６１２、６１３を３個並べて形成したが、小径部の数は一個でもよく、他の複数個でもよい。
【０１１１】
また、図１乃至図１０に示した一実施形態及び他の実施形態では、スタンド部材保持手段をスロットマシンの筐体側に設けたが、スタンド部材保持手段を前扉側に設けてもよい。
【産業上の利用可能性】
【０１１２】
本発明は、スロットマシンに限らず、パチンコ機等の他の遊技機に応用することができる。
【図面の簡単な説明】
【０１１３】
【図１】図１は、本発明の一実施形態によるスロットマシンの外観構造を表した斜視図である。
【図２】図２は、本発明の一実施形態によるスロットマシンの内部構造を表した図である。
【図３】図３は、本発明の一実施形態によるスロットマシンの制御システムを表したブロック図である。
【図４】図４は、本発明の一実施形態によるスロットマシンの前扉を開いた状態の斜視図である。
【図５】図５は、本発明の一実施形態によるスタンド部材を前扉に取り付けた状態におけるスタンド部材及びその周辺部を示す斜視図である。
【図６】図６は、本発明の一実施形態によるスタンド部材を筐体に取り付けた状態におけるスタンド部材及びその周辺部を示す斜視図である。
【図７】図７は、本発明の一実施形態によるスロットマシンのスタンド部材を前扉の底辺から退避させた状態を示す側面図である。
【図８】図８は、本発明の一実施形態によるスロットマシンのスタンド部材を筐体に収納させた状態を示す側面図である。
【図９】図９は、本発明の他の実施形態によるスタンド部材の前扉に取り付けた状態を示す斜視図である。
【図１０】図１０は、本発明の他の実施形態によるスタンド部材の筐体に取り付けた状態を示す斜視図である。
【符号の説明】
【０１１４】
１…スロットマシン、２…筐体、３…前扉、４…上部パネル部、
５…下部パネル部、６ａ…受皿部、６…受皿ユニット、７…操作卓、
８…開口、９、１０…蝶番機構、２０…主制御基板、
２１…ホッパ装置、２２…補助貯留部、２３…主電源装置、
２４…電源装置基板、２５…外部集中端子基板、
３０、３１ａ、３１ｂ…発光駆動部、３２ａ、３２ｂ…スピーカ、
３３…中央表示基板、３４…メダル選別装置、
３４ａ…メダルセンサ、３５…ガイド部材、３６…ガイド部材、
３７…ガイド部材、３８ａ、３８ｂ…スピーカ、４０…サブ制御基板、
４１…パネル面、４２…表示窓、４３…遊技状態表示部、
４４…操作アシスト表示部、４５…数値情報表示部、
４６、４７ａ、４７ｂ…演出用照明部、
４８ａ、４８ｂ…演出用放音部、４９…液晶表示装置、
４９ａ…表示窓、５０…パネル板、５１…表示パネル、
５２ａ、５２ｂ…演出用照明部、６１…メダル払出口、
６２ａ、６２ｂ…左右の演出用放音部、７１…メダル投入部、
７２…メダル投入口、７３、７４…ベットボタン、
７５…スタートレバー、７６ａ、７６ｂ、７６ｃ…ストップボタン、
７７…精算ボタン、７８…鍵穴、８１…底辺、１００…リールユニット、
１０１ａ、１０１ｂ、１０１ｃ…リール、２００…ＣＰＵ、
２０１…記憶部、２０２…システムプログラム、
２０３…メダルクレジット手段、２０４…入賞抽選テーブル、
２０５…内部抽選フラグ、２１０…基板ケース、
２２０…基板ケース、２３０…演出装置、
３００…底面部、３０１…スタンド部材、３０２…嵌合部、
３１１…本体部、３１２…Ｌ字状部、３１３…滑り止め部材、
３２１…設置面対向部、３２２…脚部、３２３…底面部対向部、
３３１…溶接部、３３２…底面部対向部、３５０…底面部、
３５１…スタンド部材保持手段、３５２…ネジ止め部、
３５３…挟持部、３５４、３５５…立設部、３６１、３６２…ネジ、
３９０…ベルトコンベア、３９１…設置面、４０２…筐体、
４０３…前扉、５００…底面部、５０１…長孔、
６０１…スタンド部材、６０２、６０３、６０４、６０５…大径部、
６０６…設置面対向部、６１１、６１２、６１３…小径部、
６２１ａ、６２２ａ、６２３ａ…溝、
６２１ｂ、６２２ｂ、６２３ｂ…溝、６５０…底面部、
６５１…スタンド部材保持手段、６５２…ネジ止め部、
６５３…挟持部、６５４、６５５…立設部、６６１、６６２…ネジ
【図１】
2007190175.tif 000003
【図２】
2007190175.tif 000004
【図３】
2007190175.tif 000005
【図４】
2007190175.tif 000006
【図５】
2007190175.tif 000007
【図６】
2007190175.tif 000008
【図７】
2007190175.tif 000009
【図８】
2007190175.tif 000010
【図９】
2007190175.tif 000011
【図１０】
2007190175.tif 000012